【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
コンベヤベルトであって、
搬送方向において後端から前端までの長さに、および左側から右側までの幅にそれぞれが延在する複数のベルトモジュールを含み、前記複数のベルトモジュールは端部同士が向き合うように配置され、前記ベルトモジュールの少なくともいくつかが、
前記前端から前記後端までの長さに、および前記左側から前記右側までの幅に延在し、上面側と、反対の底面側とを有する中間部分と、
前記上面側から前記底面側まで前記中間部分に形成され、前記中間部分の幅の大部分を横切って延在する細長いスロットと、
前記細長いスロットに沿って移動するように前記中間部分に移動可能に保持された単体プッシャであって、前記中間部分の前記上面側より上の物品係合上側部分と、前記中間部分の前記底面側より下の下側カム部分とを有する単体プッシャと
を含むことを特徴とするコンベヤベルト。
【請求項２】
請求項１に記載のコンベヤベルトにおいて、前記上側部分が、前記コンベヤベルトの幅を横切って物品を押すためのペグを含むことを特徴とするコンベヤベルト。
【請求項３】
請求項２に記載のコンベヤベルトにおいて、前記上側部分が、前記ペグの両側から前記搬送方向と平行に延在する羽根を含むことを特徴とするコンベヤベルト。
【請求項４】
請求項２に記載のコンベヤベルトにおいて、前記ペグが、前記スロットの幅よりわずかに大きい外側寸法を有する下側スカートを有することを特徴とするコンベヤベルト。
【請求項５】
請求項１に記載のコンベヤベルトにおいて、前記上側部分が、前記コンベヤベルトの幅を横切って物品を運ぶための水平プラットフォームを含むことを特徴とするコンベヤベルト。
【請求項６】
請求項１に記載のコンベヤベルトにおいて、前記上側部分が、前記コンベヤベルトの幅を横切って物品を押すための垂直プレートを含むことを特徴とするコンベヤベルト。
【請求項７】
請求項１に記載のコンベヤベルトにおいて、前記上側部分がＬ字形であることを特徴とするコンベヤベルト。
【請求項８】
請求項１に記載のコンベヤベルトにおいて、前記上側部分の前記外側寸法が前記スロットの幅より小さいことを特徴とするコンベヤベルト。
【請求項９】
請求項１に記載のコンベヤベルトにおいて、前記中間部分が前記スロットの一端にアクセス開口を含み、前記アクセス開口は前記プッシャを前記スロットに入れるのに十分に幅が広いことを特徴とするコンベヤベルト。
【請求項１０】
請求項１に記載のコンベヤベルトにおいて、前記ベルトモジュールの前記少なくともいくつかが、前記中間部分の前記上面側の下に前記ベルトモジュールの幅に沿って延在するバーを含み、前記プッシャが前記バーを受け入れる貫通穴を有することを特徴とするコンベヤベルト。
【請求項１１】
コンベヤベルトであって、
搬送方向において後端から前端までの長さに、および左側から右側までの幅にそれぞれが延在する複数のベルトモジュールを含み、前記複数のベルトモジュールは端部同士が向き合うように配置され、前記ベルトモジュールの少なくともいくつかが、
前記前端から前記後端までの長さに、および前記左側から前記右側までの幅に延在し、上面側と、反対の底面側とを有する中間部分と、
前記上面側から前記底面側まで前記中間部分に形成され、前記中間部分の幅の大部分を横切って延在する細長いスロットと、
前記細長いスロットを通って延在するプッシャとを含み、
前記プッシャが、前記中間部分の上の細い物品係合上側部分と、前記中間部分の下の下側部分とを含み、前記中間部分の前記上面側のわずかに上および前記底面側のわずかに下の前記プッシャの外側寸法が、前記スロットの幅よりわずかに大きく、前記プッシャを前記スロット内に保持するのに十分であることを特徴とするコンベヤベルト。
【請求項１２】
請求項１１に記載のコンベヤベルトにおいて、前記細い上側物品係合部分が、前記ベルトモジュールの前記中間部分の前記上面側から上に延在するペグを含むことを特徴とするコンベヤベルト。
【請求項１３】
請求項１２に記載のコンベヤベルトにおいて、前記プッシャの前記細い物品係合上側部分が、前記中間部分の上に配置されかつ前記ペグとＬ字を形成するプラットフォームを含むことを特徴とするコンベヤベルト。
【請求項１４】
請求項１２に記載のコンベヤベルトにおいて、前記プッシャの前記細い物品係合上側部分が、前記ペグの両側から前記搬送方向と平行に延在する羽根を含むことを特徴とするコンベヤベルト。
【請求項１５】
請求項１１に記載のコンベヤベルトにおいて、前記細い上側物品係合部分が、前記コンベヤベルトの幅を横切って物品を押すための垂直プレートを含むことを特徴とするコンベヤベルト。
【請求項１６】
請求項１１に記載のコンベヤベルトにおいて、前記細い上側物品係合部分が、物品の底部を支持するための水平プラットフォームを含むことを特徴とするコンベヤベルト。
【請求項１７】
請求項１１に記載のコンベヤベルトにおいて、前記下側部分がカムフォロワであることを特徴とするコンベヤベルト。
【請求項１８】
請求項１１に記載のコンベヤベルトにおいて、前記プッシャが磁性材料を含むことを特徴とするコンベヤベルト。
【請求項１９】
請求項１１に記載のコンベヤベルトにおいて、前記プッシャが単体要素であることを特徴とするコンベヤベルト。
【請求項２０】
請求項１１に記載のコンベヤベルトにおいて、前記中間部分が前記スロットの一端にアクセス開口を含み、前記アクセス開口は前記プッシャを前記スロットに入れるのに十分に幅が広いことを特徴とするコンベヤベルト。
【請求項２１】
請求項１１に記載のコンベヤベルトにおいて、前記ベルトモジュールの前記少なくともいくつかが、前記中間部分の前記上面側の下に前記ベルトモジュールの幅に沿って延在するバーを含み、前記プッシャが前記バーを受け入れる貫通穴を有することを特徴とするコンベヤベルト。
【請求項２２】
コンベヤベルトであって、
上面側および反対の底面側と、
前記コンベヤベルトの幅の大部分を横切って横方向に延在する複数の平行トラックと、
前記トラックに沿って移動するように配置された複数のプッシャであって、前記プッシャが前記コンベヤベルトの前記上面側の上の上側物品係合部分と、前記コンベヤベルトの下の案内装置と接触するための前記底面側の下のカムフォロワとを含む複数のプッシャと
を含み、
いくつかの前記プッシャの前記カムフォロワが第１の距離だけ前記底面側の下に延在し、他の前記プッシャの前記カムフォロワがより長い第２の距離だけ前記底面側の下に延在することを特徴とするコンベヤベルト。
【請求項２３】
方向転換コンベヤであって、
複数のプッシャを有するコンベヤベルトであって、前記複数のプッシャは、離間された経路に沿って前記コンベヤベルトの幅を横切って横方向に平行移動するように配置され、前記プッシャが、前記コンベヤベルトの下に延在するカムフォロワを含むコンベヤベルトと、
前記コンベヤベルトの下に配置され、案内面を有する後退可能な案内装置であって、前記案内面が、前記コンベヤベルトを横切って前記プッシャを平行移動するように前記カムフォロワと接触する第１の位置と、前記プッシャを平行移動することを回避するように前記カムフォロワと接触しない第２の位置との間で選択的に移動可能である、後退可能な案内装置と
を含み、
前記後退可能な案内装置は、前記案内装置が前記第１の位置と前記第２の位置との間で枢転することを可能にするヒンジを有することを特徴とする方向転換コンベヤ。
【請求項２４】
方向転換コンベヤであって、
複数のプッシャを有するコンベヤベルトであって、前記複数のプッシャが、離間された経路に沿って前記コンベヤベルトの幅を横切って横方向に平行移動するように配置され、第１の複数の前記プッシャが、第１の距離だけ前記コンベヤベルトの下に延在するカムフォロワを含み、第２の複数の前記プッシャが、より長い第２の距離だけ前記コンベヤベルトの下に延在するカムフォロワを含むコンベヤベルトと、
前記コンベヤベルトの下に配置された案内装置であって、それらのプッシャを平行移動するように前記第１および第２の複数のプッシャの前記カムフォロワと係合するための第１の高さの第１案内面と、前記第２の複数のプッシャを平行移動し前記第１の複数のプッシャを平行移動しないように前記第１の高さより低く前記第１の複数のプッシャの前記カムフォロワより低く前記第２の複数のプッシャの前記カムフォロワより低くない第２の高さの第２案内とを有する案内装置と
を含むことを特徴とする方向転換コンベヤ。